(57)【要約】  ＯＦＤＭＡ通信システムが、複数の端末を備える。少なくとも一つの端末が、少なくとも一つの端末に送信され当該システムのサブチャネル上で受信される信号をデコードするために適合し、当該サブチャネル上で受信される干渉信号の少なくとも一部をデコードするために適合する、少なくとも一つのタイプのマルチユーザデコーダを備える。各基地局が、セル内の特定のサブチャネルを用いて、当該システムのセル内の特定の端末についてのデータスループットに関する情報を交換するために、当該基地局の他の基地局と通信する。各基地局は、システム全体のスループットを最大化するために、当該基地局のセル内の端末に対して当該サブチャネルを割り当てる。【特許請求の範囲】
【請求項１】
直交周波数分割多重アクセス（ＯＦＤＭＡ）無線通信システムの端末に対して前記ＯＦＤＭＡシステムのサブチャネル上で送信された信号を受信し、
前記端末が、前記サブチャネル上で干渉信号を受信し、
前記干渉信号の少なくとも一部をデコーディングし、
デコードされた前記干渉信号の部分を用いて、前記送信された信号をデコードするデコード方法。
【請求項２】
請求項１に記載のデコード方法において、
前記干渉信号の少なくとも一部のデコーディングが選択的であり、
前記方法が、
前記送信された信号をデコードするために、シングルユーザデコーダとマルチユーザデコーダとの間で選択し、
前記シングルユーザデコーダが、選択された場合に、前記送信された信号のみをデコードし、前記マルチユーザデコーダが、選択された場合に、前記干渉信号の少なくとも一部をデコードする
ことを特徴とするデコード方法。
【請求項３】
請求項２に記載のデコード方法において、
前記選択が、少なくとも部分的に、前記送信された信号に対する前記干渉信号の強度に基づく
ことを特徴とするデコード方法。
【請求項４】
請求項２に記載のデコード方法において、
前記選択が、更に、
線形マルチユーザデコーダと非線形マルチユーザデコーダとの間で選択する
ことを特徴とするデコード方法。
【請求項５】
請求項４に記載のデコード方法において、
前記線形マルチユーザデコーダと非線形マルチユーザデコーダとの間での選択が、少なくとも部分的に、予め復調された信号に基づく
ことを特徴とするデコード方法。
【請求項６】
請求項４に記載のデコード方法が、更に、
前記送信された信号のプリアンブルを処理し、
前記干渉信号のプリアンブルを処理する
ことを特徴とするデコード方法。
【請求項７】
請求項６に記載のデコード方法において、
前記線形マルチユーザデコーダと非線形マルチユーザデコーダとの間での選択が、少なくとも部分的に、前記プリアンブルからの情報に基づく
ことを特徴とするデコード方法。
【請求項８】
請求項７に記載のデコード方法において、
前記プリアンブルからの情報が、前記線形マルチユーザデコーディングが前記送信された信号を十分デコードし得るかを判断するために用いられる
ことを特徴とするデコード方法。
【請求項９】
請求項８に記載のデコード方法において、
前記線形マルチユーザデコーダと非線形マルチユーザデコーダとの間での選択が、少なくとも部分的に、予め復調された信号に基づく
ことを特徴とするデコード方法。
【請求項１０】
請求項４に記載のデコード方法において、
前記線形マルチユーザデコーダが、選択された場合に、前記デコードされた干渉信号を取り除く
ことを特徴とするデコード方法。
【請求項１１】
請求項１０に記載のデコード方法において、
前記取り除くことが、前記干渉信号のデータ構成に基づくフィルタセットの生成を含む
ことを特徴とするデコード方法。
【請求項１２】
請求項１０に記載のデコード方法において、
前記取り除くことが、前記干渉信号を伝送するソースに対して向けられる、前記端末についての無効なアンテナパターンの生成を含む
ことを特徴とするデコード方法。
【請求項１３】
請求項１２に記載のデコード方法において、
前記干渉信号を伝送するソースが、前記干渉信号から識別される
ことを特徴とするデコード方法。
【請求項１４】
請求項４に記載のデコード方法において、
前記非線形マルチユーザデコーダが、選択された場合に、前記干渉信号の全てをデコードし、そして、前記デコードされた干渉信号を捨てる
ことを特徴とするデコード方法。
【請求項１５】
請求項１に記載のデコード方法が、更に、
前記デコードされた干渉信号を取り除く
ことを特徴とするデコード方法。
【請求項１６】
請求項１５に記載のデコード方法において、
前記取り除くことが、前記デコードされた干渉信号を捨てることを含む
ことを特徴とするデコード方法。
【請求項１７】
請求項１５に記載のデコード方法において、
前記取り除くことが、前記干渉信号のデータ構成に基づくフィルタセットの生成を含む
ことを特徴とするデコード方法。
【請求項１８】
請求項１５に記載のデコード方法において、
前記取り除くことが、前記干渉信号を伝送するソースに対して向けられる、前記端末についての無効なアンテナパターンの生成を含む
ことを特徴とするデコード方法。
【請求項１９】
請求項１８に記載のデコード方法において、
前記干渉信号を伝送するソースが、抽出された前記干渉信号のプリアンブルから識別される
ことを特徴とするデコード方法。
【請求項２０】
ＯＦＤＭＡ端末であって、
ＯＦＤＭＡシステムのサブチャネル上で前記端末に送信された信号と少なくとも一つの干渉信号とを受信する手段と、
前記送信された信号と前記干渉信号の少なくとも一部とをデコードするのに適合する少なくとも一つのマルチユーザデコーダとを備える
ことを特徴とするＯＦＤＭＡ端末。
【請求項２１】
請求項２０に記載のＯＦＤＭＡ端末が、更に、
前記送信された信号のみをデコードするのに適合するシングルユーザデコーダと、
前記送信された信号を復調するために、前記シングルユーザデコーダと前記少なくとも一つのマルチユーザデコーダのうちの一つとの間での選択を行う復調スキーム選択ロジックとを備える
ことを特徴とするＯＦＤＭＡ端末。
【請求項２２】
請求項２１に記載のＯＦＤＭＡ端末において、
前記シングルユーザデコーダと前記少なくとも一つのマルチユーザデコーダのうちの一つとの間の選択が、少なくとも部分的に、前記送信された信号に対する前記干渉信号の強度に基づく
ことを特徴とするＯＦＤＭＡ端末。
【請求項２３】
請求項２２に記載のＯＦＤＭＡ端末において、
前記少なくとも一つのマルチユーザデコーダが、線形マルチユーザデコーダと非線形マルチユーザデコーダとを含む
ことを特徴とするＯＦＤＭＡ端末。
【請求項２４】
請求項２３に記載のＯＦＤＭＡ端末において、
前記復調スキーム選択ロジックが、前記送信された信号を復調するために、前記シングルユーザデコーダ、前記線形マルチユーザデコーダ、そして前記非線形マルチユーザデコーダとの間での選択を行う
ことを特徴とするＯＦＤＭＡ端末。
【請求項２５】
請求項２４に記載のＯＦＤＭＡ端末において、
前記線形マルチユーザデコーダと非線形マルチユーザデコーダとの間での選択が、少なくとも部分的に予め復調された信号に基づく
ことを特徴とするＯＦＤＭＡ端末。
【請求項２６】
請求項２４に記載のＯＦＤＭＡ端末が、更に、
前記送信された信号のプリアンブルを抽出し、可能である場合、前記干渉信号のプリアンブルを抽出するプリアンブルプロセッサを備える
ことを特徴とするＯＦＤＭＡ端末。
【請求項２７】
請求項２６に記載のＯＦＤＭＡ端末において、
前記送信された信号を復調するための前記線形マルチユーザデコーダと非線形マルチユーザデコーダとの間での選択が、少なくとも部分的に、前記プリアンブルからの情報に基づく
ことを特徴とするＯＦＤＭＡ端末。
【請求項２８】
請求項２７に記載のＯＦＤＭＡ端末において、
前記プリアンブルからの情報が、前記線形マルチユーザデコーディングが前記送信された信号を十分デコードし得るかを判断するために用いられる
ことを特徴とするＯＦＤＭＡ端末。
【請求項２９】
請求項２７に記載のＯＦＤＭＡ端末において、
前記線形マルチユーザデコーダと非線形マルチユーザデコーダとの間での選択が、少なくとも部分的に、予め復調された信号に基づく
ことを特徴とするＯＦＤＭＡ端末。
【請求項３０】
請求項２３に記載のＯＦＤＭＡ端末において、
前記線形マルチユーザデコーダが、前記送信された信号をデコードするために前記復調スキーム選択ロジックによって前記線形マルチユーザデコーダが選択された場合に、前記デコードされた干渉信号を取り除くために用いられるフィルタを備える
ことを特徴とするＯＦＤＭＡ端末。
【請求項３１】
請求項３０に記載のＯＦＤＭＡ端末において、
前記フィルタが、前記干渉信号のデータ構成に基づくフィルタセットの生成を含む
ことを特徴とするＯＦＤＭＡ端末。
【請求項３２】
請求項３０に記載のＯＦＤＭＡ端末において、
前記フィルタが、前記干渉信号を伝送するソースに対して向けられる、前記端末についての無効なアンテナパターンを生成する手段を含む
ことを特徴とするＯＦＤＭＡ端末。
【請求項３３】
請求項３２に記載のＯＦＤＭＡ端末において、
前記干渉信号を伝送するソースが、前記抽出された前記干渉信号についてのプリアンブルから識別される
ことを特徴とするＯＦＤＭＡ端末。
【請求項３４】
請求項２３に記載のＯＦＤＭＡ端末において、
前記非線形マルチユーザデコーダが、前記干渉信号をデコードするために前記線形マルチユーザデコーダが前記復調スキームによって選択された場合に、前記干渉信号の全てをデコードし、そして、前記デコードされた干渉信号を捨てるために適合する
ことを特徴とするＯＦＤＭＡ端末。
【請求項３５】
ＯＦＤＭＡ無線通信システムによるサブチャネルの使用を、前記ＯＦＤＭＡシステムの少なくとも一つの他のセルによる前記サブチャネルの使用とオーバーラップさせて、前記セルの少なくとも一つにおける同じサブチャネルを用いた干渉信号を、前記一つのセルにおいて前記サブチャネルを用いる少なくとも一つの端末によって受信されるように送信される信号にオーバーラップさせる
ことを特徴とする方法。
【請求項３６】
請求項３５に記載の方法において、
前記ＯＦＤＭＡシステムの少なくとも一つの端末が、割り当てられたサブチャネル上で受信される前記少なくとも一つの端末に対して送信される信号と、前記割り当てられるサブチャネル上で受信される干渉信号の少なくとも一部をデコードするために、マルチユーザデコーダを選択的に適用する
ことを特徴とする方法。
【請求項３７】
請求項３６に記載の方法において、
前記マルチユーザデコーダが、前記干渉信号のみをデコードし、前記デコードされた干渉信号を取り除く
ことを特徴とする方法。
【請求項３８】
請求項３７に記載の方法において、
前記取り除くことが、前記干渉信号のデータ構成に基づくフィルタセットの生成を含む
ことを特徴とする方法。
【請求項３９】
請求項３７に記載の方法において、
前記取り除くことが、前記干渉信号を伝送するソースに対して向けられる、前記端末についての無効なアンテナパターンの生成を含む
ことを特徴とする方法。
【請求項４０】
請求項３７に記載の方法において、
前記マルチユーザデコーダが、全ての前記干渉信号をデコードし、そして、前記デコードされた干渉信号を捨てる
ことを特徴とする方法。
【請求項４１】
請求項３５に記載の方法が、更に、
前記端末に対する前記サブチャネルの割り当てが前記システムの端末に対するデータスループット全体を最大化する場合に、前記サブチャネルを端末に対して割り当てる
ことを特徴とする方法。
【請求項４２】
請求項４１に記載の方法が、更に、
前記ＯＦＤＭＡシステムの前記セルの各々の基地局が、前記サブチャネルについて最も高いデータスループットを持つ端末に対して前記サブチャネルの使用を割り当てる
ことを特徴とする方法。
【請求項４３】
請求項４１に記載の方法において、
前記割り当てが、更に、前記基地局の各々によって、前記ＯＦＤＭＡシステムの基地局の間で、サブチャネルの割り当てを調整する
ことを特徴とする方法。
【請求項４４】
請求項４３に記載の方法において、
前記調整が、前記基地局の少なくとも一つが、特定のサブチャネルのセル端末による使用を割り当てない
ことを特徴とする方法。
【請求項４５】
請求項４４に記載の方法において、
前記少なくとも基地局による前記サブチャネルの使用が、近接するセルにおいて前記サブチャネルを使用する１又は複数の端末と干渉するため、前記サブチャネルが割り当てられない
ことを特徴とする方法。
【請求項４６】
請求項４４に記載の方法において、
前記サブチャネルが、前記少なくとも基地局による前記サブチャネルの使用が、１又は複数の近接するセルにおける前記サブチャネルの使用を妨げるため、前記サブチャネルが割り当てられない
ことを特徴とする方法。
【請求項４７】
請求項４３に記載の方法において、
前記基地局の間での調整が、前記基地局の間で情報を共有することを含む
ことを特徴とする方法。
【請求項４８】
請求項４７に記載の方法において、
前記情報が、前記ＯＦＤＭＡシステムのサブチャネルを使用する前記基地局のセルにおける端末についてのデータスループットに関する情報を含む
ことを特徴とする方法。
【請求項４９】
請求項４３に記載の方法において、
前記ＯＦＤＭＡシステムの基地局の間での前記調整が、集中化される
ことを特徴とする方法。
【請求項５０】
請求項４３に記載の方法において、
前記ＯＦＤＭＡシステムの基地局の間での前記調整が、非集中化される
ことを特徴とする方法。
【請求項５１】
ＯＦＤＭＡ通信システムであって、
ＯＦＤＭＡ無線通信システムのセルによって使用されるサブチャネルの使用を前記ＯＦＤＭＡシステムの少なくとも一つの他のセルによる前記サブチャネルの使用とオーバーラップさせて、前記セルの一つにおける同じサブチャネルを用いた干渉信号が前記一つのセルにおいて前記サブチャネルを用いる少なくとも一つの端末によって受信される信号とオーバーラップするようにする、複数の基地局を備える
ことを特徴とするＯＦＤＭＡ通信システム。
【請求項５２】
請求項５１に記載のＯＦＤＭＡ通信システムが、更に、
複数の端末を備え、
前記端末の少なくとも一つが、前記少なくとも端末に送信され、前記システムのサブチャネル上で受信される信号をデコードするために適合し、前記サブチャネル上で受信される干渉信号の少なくとも一部をデコードするために適合する少なくとも一つのマルチユーザデコーダを備える
ことを特徴とするＯＦＤＭＡ通信システム。
【請求項５３】
請求項５２に記載のＯＦＤＭＡ通信システムにおいて、
前記複数の端末がシングルユーザデコーダを備える少なくとも一つの端末を含む
ことを特徴とするＯＦＤＭＡ通信システム。
【請求項５４】
請求項５２に記載のＯＦＤＭＡ通信システムにおいて、
前記少なくとも一つの端末が、また、シングルユーザデコーダを備える
ことを特徴とするＯＦＤＭＡ通信システム。
【請求項５５】
請求項５４に記載のＯＦＤＭＡ通信システムにおいて、
前記シングルユーザデコーダが前記送信された信号のみをデコードする
ことを特徴とするＯＦＤＭＡ通信システム。
【請求項５６】
請求項５２に記載のＯＦＤＭＡ通信システムにおいて、
前記マルチユーザデコーダが、前記干渉信号の一部のみをデコードし、前記デコードされた干渉信号を取り除く線形マルチユーザデコーダを備える
ことを特徴とするＯＦＤＭＡ通信システム。
【請求項５７】
請求項５６に記載のＯＦＤＭＡ通信システムにおいて、
前記取り除くことが、前記干渉信号のデータ構成に基づくフィルタセットの生成を含む
ことを特徴とするＯＦＤＭＡ通信システム。
【請求項５８】
請求項５６に記載のＯＦＤＭＡ通信システムにおいて、
前記取り除くことが、前記干渉信号を伝送するソースに対して向けられる、前記端末についての無効なアンテナパターンの生成を含む
ことを特徴とするＯＦＤＭＡ通信システム。
【請求項５９】
請求項５２に記載のＯＦＤＭＡ通信システムにおいて、
前記マルチユーザデコーダが、全ての干渉信号をデコードし、前記デコードされた干渉信号を捨てる非線形マルチユーザデコーダを備える
ことを特徴とするＯＦＤＭＡ通信システム。
【請求項６０】
請求項５１に記載のＯＦＤＭＡ通信システムにおいて、
前記基地局の各々が、前記セルにおいて特定のサブチャネルを用いる前記システムのセル内の特定の端末のデータスループットに関する情報を交換するために、前記基地局の他の基地局と通信し、前記基地局の各々が、前記マルチセルシステムにおけるデータスループットを最大化するために、前記基地局の前記セル内の端末に対して前記サブチャネルを割り当てる
ことを特徴とするＯＦＤＭＡ通信システム。
【請求項６１】
請求項６０に記載のＯＦＤＭＡ通信システムにおいて、
前記割り当てが、集中化された方法で実行される
ことを特徴とするＯＦＤＭＡ通信システム。
【請求項６２】
請求項６０に記載のＯＦＤＭＡ通信システムにおいて、
前記割り当てが、非集中化された方法で実行される
ことを特徴とするＯＦＤＭＡ通信システム。
【請求項６３】
請求項６０に記載のＯＦＤＭＡ通信システムにおいて、
前記基地局の各々が、前記サブチャネルについて最大のデータスループットを持つ端末に対して前記サブチャネルの使用を割り当てる
ことを特徴とするＯＦＤＭＡ通信システム。
【請求項６４】
請求項６０に記載のＯＦＤＭＡ通信システムにおいて、
前記基地局の少なくとも一つが、特定のサブチャネルの使用を割り当てない
ことを特徴とするＯＦＤＭＡ通信システム。
【請求項６５】
請求項６４に記載のＯＦＤＭＡ通信システムにおいて、
前記少なくとも一つの基地局による前記サブチャネルの使用が、近接するセルにおいて前記サブチャネルを使用する１又は複数の端末と干渉するため、前記サブチャネルが割り当てられない
ことを特徴とするＯＦＤＭＡ通信システム。
【請求項６６】
請求項６４に記載のＯＦＤＭＡ通信システムにおいて、
前記少なくとも一つの基地局による前記サブチャネルの使用が、１又は複数の近接するセルにおける前記サブチャネルの使用を妨げるため、前記サブチャネルが割り当てられない
ことを特徴とするＯＦＤＭＡ通信システム。
【発明の詳細な説明】
【技術分野】
【０００１】
本発明は、無線通信システムに関し、特に、直交周波数分割多重アクセス（ＯＦＤＭＡ）ネットワークにおけるインテリジェントな端末側の復調システム及び方法に関する。
【背景技術】
【０００２】
現在の大部分のマルチセル無線通信システムは、時分割多重アクセス（ＴＤＭＡ）ベース又はコード分割多重アクセス（ＣＤＭＡ）ベースである。そのような無線通信システム、特に、端末が異なるコードを適用するＣＤＭＡベースのシステムにおいては、端末は、セル内の干渉とともに、隣接するセルからの他の干渉を経験し、そして受けることが多い。この点、他のセルから受けた干渉は、セル内干渉又は漏洩信号と言われる。セル内干渉は、端末自身によって、そして／またはセルにおける他の端末との送受信によって生成される。
【０００３】
ＯＦＤＭＡは、直交周波数分割多重（ＯＦＤＭＡ）技術に基づく高フレキシブル多重アクセススキーム（ｓｃｈｅｍｅ）である。ＯＦＤＭＡは、超３Ｇ（Ｂ３Ｇ）世代のブロードバンド無線システムについての有力な多重アクセスの選択スキームである。ＯＦＤＭＡの主要な利点は、簡潔であり、ハイスケーラビリティであり、グラニュラリティ（ｇｒａｎｕｌａｒｉｔｙ）及び出力能力が良いことを含む。ＯＦＤＭＡにおいては、多重アクセスは、時間領域にのみならず周波数領域に適応する。ＯＦＤＭＡは、様々な端末が様々なサブチャネルを持つ従来の周波数分割多重（ＦＤＡ）に類似している。相違点は、スペクトラムの割り当て方法と、信号の変調及び復調方法にある。ＯＦＤＭＡにおいては、データストリームを構成するチャネル及び信号の間の干渉又はクロストークを最小化するためにプライオリティが与えられる。典型的には、それぞれのチャネルを完全にすることに比較的少ない重点をおいている。ＯＦＤＭＡは、５ＭＨｚといった極めて広い帯域幅を用いる。セル内の各々の端末は、例えば１０ｋＨｚといった、ある帯域幅の部分を用いる。ＯＦＤＭＡ帯域は、高速フーリエ変換（ＦＦＴ）技術を用いて、サブキャリアと言われる多数の狭い周波数帯域を適用する。典型的なＯＦＤＭＡシステムは、そのサブキャリアの多くを一つのサブチャネルにグループ化する。例えば、６４個のサブキャリアがサブチャネルにグループ化される。セル内において、全ての端末は、直交サブチャネルの異なるセットを、そのセル内の他の端末とオーバーラッピングしないように持つ。その結果、ＯＦＤＭＡにおいては、干渉が少ないか、又は存在しない。これが、ＯＦＤＭＡの大きな利点である。端末は、クリーンなチャネルを持っており、適合する変調を用いて、その端末のサブチャネルの受信信号強度インジケータ（ＲＳＳＩ）等に基づいて、できるだけ速く送信することができる。
【０００４】
しかし、ＯＦＤＭＡを適用するマルチセルシステムにおいてはセル内の干渉がないが、端末は当該端末と同じサブチャネルを用いる他のセルからの干渉を受ける。上述したように、そのような干渉は、セル内干渉又は漏洩信号と言われる。典型的には、この問題に対処するために、既存のシステムは、２つの種類の解決策の一つを用いてきた。一つは、モバイル通信システム用グローバルシステム（ＧＳＭ）におけるような、セクタリゼーションを用いることである。ＯＦＤＭＡベースのシステムは、互いに相手に対して向く２つのセルからのセクタに対して、異なるアンテナパターンを向けることによって、そして／または異なる周波数を用いることによって、セル内干渉を減らし、又は少なくとも抑制しようとする。しかし、この干渉緩和技術は、システム全体のキャパシティを減少させ、典型的には、任意の特定の時間にセルの特定のエリアにおいて用いられ得るサブチャネルが減少する。
【０００５】
典型的なＯＦＤＭＡシステムにおけるセル内干渉を緩和する第２のアプローチは、時間を「ホップする（ｈｏｐ）」サブチャネルパターンを適用してきた。このサブチャネルは、異なるシステムの異なるセルにおけるホッピングパターンを用いて、ＯＦＤＭＡ帯域の５Ｍｈｚの帯域幅のサブキャリアを超えてホップする。このようにして、ある程度のいわゆる干渉平均化が実現される。その結果、時々、同じサブキャリアを用いる、異なるセルからの端末についての「ダイレクトヒット（ｄｉｒｅｃｔ  ｈｉｔ）」が生じる。しかし、次のタイムスロットにおいて、当該異なるセルが異なるホッピングパターンを用いるので、ダイレクトヒットが避けられる。当該ランダム化され、「平滑化された（ｓｍｏｏｔｈｅｄ）」干渉パターン結果は、他の背景（ｂａｃｋｇｒｏｕｎｄ）干渉と同様に扱われる。しかし、例えば全くヒットがないベストケースの状態は起きない。従って、マルチセルＯＦＤＭＡシステムに対する後者の従来のセル内干渉緩和技術は、シーケンシャルなダイレクトヒットの最悪のケースシナリオを消去することによって、全くヒットがないベストのケースシナリオを用いることができないという問題がある。当該セル内干渉に対処するための干渉平均化アプローチを用いるＯＦＤＭＡシステムの中には、時には干渉を組み合わせることによって、そして、時には当該干渉を分けることによって、当該干渉を管理する。一般に、干渉の平均化は、ネットワークキャパシティを低くすることとひきかえに、システムの最悪のケースのパフォーマンスを改善する。
【発明の要約】
【０００６】
本発明は、端末において、ＯＦＤＭＡマルチセルネットワークにおけるインテリジェント復調を適用して、セル内干渉を緩和するシステム及び方法に向けられる。本システム及び方法は、端末における干渉の構成情報を利用することによって、干渉平均化に伴うネットワークキャパシティのロスを避ける。既存のＯＦＤＭＡシステム及び方法と異なり、本発明の実施例は、本システム及び方法の端末が、マルチプル入力、マルチプル出力（ＭＩＭＯ）の手法で、送信された（ｉｎｔｅｎｄｅｄ）信号及び干渉信号の双方を受信するように、近接するセルによって用いられるサブチャネルをオーバーラップ（ｏｖｅｒｌａｐ）し、好ましくは、完全にオーバーラップする。本システム及び方法の端末の実施例は、強力なデコーディングスキームを用いることによって干渉を消すために、マルチユーザのデコーディングアプローチを適用する。当該干渉をオーバーラップすることによって、本発明の実施例は、チャネル及び干渉情報に基づいて、セルがデータスループットを最大化するような方法でサブチャネルを割り当てることができるようにする。このサブチャネルの割り当ては、本発明を適用するシステムの基地局間の相互通信によって実現されるような、調整的な手法を用いて行われる。
【０００７】
本発明のＯＦＤＭＡ端末の実施例は、当該端末のホームの基地局からブロードキャストされたプリアンブル信号と、近接する基地局からブロードキャストされるプリアンブル信号とを受信するプリアンブルプロセッサと、当該端末に対して送信された信号と、ＯＦＤＭＡ無線通信システムのサブチャネルにおける少なくとも一つの干渉信号とを受信するレシーバと、好ましくは当該送信された信号のみをデコードするために適合するシングルユーザデコーダと、当該送信された信号と少なくとも干渉信号の一部とをデコードする１又は複数のマルチユーザデコーダとを備える。当該マルチユーザデコーダは、線形（ｌｅｎｅａｒ）マルチユーザデコーダ、そして／又は非線形マルチユーザデコーダを備える。当該端末は、好ましくは、当該送信された信号を復調／デコードするために、当該シングルユーザデコーダ、当該線形マルチユーザデコーダ、そして非線形マルチユーザデコーダとの間で選択する復調スキーム選択ロジックを備える。この選択は、少なくとも一部は、当該送信された信号の強さに対する干渉信号の強さに基づく。前述したデコーダは、また、「検波器（ｄｅｔｅｃｔｏｒ）」又は「復調器（ｄｅｍｏｄｕｌａｔｏｒ）」と呼ばれる。
【０００８】
送信された信号のプリアンブルと、可能であれば干渉信号のプリアンブルを抽出するために、プリアンブルプロセッサが用いられる。当該送信された信号を復調／デコードするための、シングルユーザデコーダ、線形マルチユーザデコーダ、そして非線形マルチユーザデコーダとの間での選択は、更に、又は、代替的に、そのような干渉信号から抽出されたプリアンブルからの情報に基づく。例えば、当該干渉信号から抽出されたプリアンブルからの情報が、当該線形マルチユーザデコーディングが送信された信号を十分デコードすることができるかを判断するために用いられる。本発明の実施例よれば、プリアンブルに加えて、信号とマルチユーザデコーダとの間での選択を行うために、予め復調された信号が（プリアンブル信号ととともに）用いられる。
【０００９】
当該線形マルチユーザデコーダは、デコードされた干渉信号を取り除くためのフィルタを備える。このフィルタは、当該干渉信号のデータ構成に基づくフィルタセットを備える。更に、又は代替的に、当該端末は、当該干渉信号を伝達する基地局又は端末に向けられる、当該端末についての無効なアンテナパターンを形成するためのビームフォーミングを用いる。当該干渉信号を伝達するソース（ｓｏｕｒｃｅ）が当該抽出された干渉信号のプリアンブルから特定される。非線形マルチユーザデコーダの少なくとも一つの実施例が、当該送信された信号をデコードするための復調スキーム選択ロジックによって選択された時に、当該干渉信号の全てをデコードし、当該デコードされた干渉信号を捨てるために適合している。
【００１０】
好ましくは、本発明の基地局の実施例は、ＯＦＤＭＡ無線通信システムの第１のセルによって用いられるサブチャネルを、当該ＯＦＤＭＡシステムの少なくとも一つの他のセルによって用いられるサブチャネルに、上記第１のセルの端末によって用いられるために送信された信号とオーバーラップする信号として上記少なくとも一つの他のセル内に出現する任意の干渉信号を提供するような方法でオーバーラップさせる。当該端末は、端末に送信された信号と、当該送信された信号と同じサブチャネル上の任意の干渉信号の少なくとも一部との双方をデコードするために、前述したマルチユーザデコーディングを適用し、当該デコードされた干渉信号を、例えば当該干渉信号をキャンセルすることによって、当該送信された信号のデコーディングを改善するために用いる。
【００１１】
本発明のＯＦＤＭＡ無線システムの実施例は、前述した端末及び複数の前述した基地局の少なくとも一つを適用する。好ましくは、各基地局は、他の基地局と通信して、当該システムのセルにおける特定の端末についての、当該セルにおける特定のサブチャネルを用いたデータスループットに関する情報を交換する。好ましくは、各基地局は、当該基地局のセル内の端末にサブチャネルを割り当てて、当該システムにおけるデータスループットを最大化する。各基地局は、サブチャネルについて最も高いデータスループットを有する自分のセル内の端末に対して、当該サブチャネルの使用を割り当てる。しかし、他の考察（ｃｏｎｓｉｄｅｒａｔｉｏｎｓ）が、特定の基地局によってサブチャネルを割り当てるか又は割り当てないかに影響する。例えば、少なくとも一つの基地局は、自分のセル内において、特定のサブチャネルの使用を割り当てない。なぜなら、当該基地局による当該サブチャネルの使用が、近接するセルにおいて当該サブチャネルを使用する１又は複数の端末に影響するからであり、又は、少なくとも一つの基地局によるサブチャネルの使用が、１又は複数の近接するセル内の当該サブチャネルの使用を妨げるからである。本発明の実施例によれば、基地局の間での集中的な（ｃｅｎｔｒａｌｉｚｅｄ）サブチャネルの割り当てが、ネットワークのスループット全体を最大化するために用いられる。
【００１２】
上記のことは、以下の本発明の詳細な説明がよりよく理解できるように、本発明の特徴と技術的利点を概略的に説明する。本発明のクレームの主題を形成する本発明の追加的な特徴と利点がここで記述される。開示される思想と特定の実施例は、修正、そして、本発明と同一の目的を達成するための他の構成を設計するための基礎としてすぐに役立つ。そのような同等の構成は添付されたクレームに示される発明の思想と範囲を逸脱するものではないことが、当業者に理解されるであろう。本発明の特徴とされる、その構成及びオペレーション方法双方の明白な特徴は、さらなる目的と利点とともに、添付された図面が考慮された時に以下の記述から容易に理解されるであろう。しかし、その各図は、表示と説明のためのみのものであり、本発明の限界を定めるものではないことが明確に理解されるべきである。
【発明を実施するための最良の形態】
【００１３】
図１は、本発明のシステム及び方法を適用する、マルチセルＯＦＤＭＡベースの無線通信システム１００の少なくとも一部を示す図である。各セル１０１、１０２、そして１０３は、それぞれ、対応する基地局１１１、１１２、そして１０３を有している。各セルは、多数のセクタを備え、各々のセクタは、基地局１１１のアンテナ１２１及び基地局１１２のアンテナ１２２といったような、基地局の１又は複数のアンテナ又はアンテナアレイからのサービスを受ける。多数のアンテナ又はアンテナアレイは、基地局１１１、１１２、そして１１３によって、ビームフォーミング、ダイバーシティの送受信等を提供するために用いられる。基地局１１１は、端末１３１と通信する。本システム及び方法を示すために、システム１００のサブチャネルＫが、端末１３１と通信するために用いられる。しかし、基地局１１２は、端末１３２と通信しており、本発明を示すため、同じサブチャネルＫを使用している。当業者であればすぐに理解できるように、サブチャネルＫ上の、基地局１１１からのＲＦ信号の少なくとも一部がセル１０２に漏れ、サブチャネルＫ上の、基地局１１２からのＲＦ信号の少なくとも一部がセル１０１に漏れ、その結果、端末１３１によって、基地局１２１との通信に伴う干渉として受信される。本発明によれば、基地局１１１、１１２、そして１１３は、以下に詳細に記述されるように、サブチャネルをオーバーラップさせ、以下に詳細に述べるように、システムのデータスループット全体を高めるような方法で、ユーザに対してサブチャネルを割り当てるのに適合している。基地局１１１、１１２、そして１１３は、このチャネル割り当てを容易にするために、リンク１４１、１４２そして１４３を通じて通信する。更に、システム１００の実施例の少なくとも一つの端末が、当該端末に送信される信号と同じサブチャネル上で受信される干渉漏洩信号の少なくとも一部の双方を受信するのに適合しており、以下に詳細に記述するように、当該送信された信号のデコーディングを改善するために、当該デコードされた干渉信号からの情報を用いる。
【００１４】
図２は、図１のシステム１００の部分２００のブロック図であり、端末１３１といった端末が、どのようにしてマルチセルＯＦＤＭＡ無線システムにおいて、セル内干渉信号２０１を受信するかを示す。端末１３１に向けられるデータ信号２０２と同じサブチャネルを用いる、セル１０２からのＲＦ信号の漏洩が、修正なしに、端末１３１によって干渉又は背景ノイズとして受信される。典型的には、干渉信号２０１は、データ信号２０２と比較して低い信号対ノイズの強度を持っている。干渉信号２０１は、典型的には、端末１３１のデータレートに影響を与える。既存のシステムは、典型的には、近接するセルの情報を利用しない。近接するセルから発信する信号は、典型的には、当該背景ノイズの一部と考えられ、典型的なフィルタリング、前述した平均化技術、又は、類似の緩和技術を用いて、他の干渉と同じように扱われる。しかし、端末１３１は、受信されたデータ信号２０２に加えて、図１の基地局１１２から端末１３２に向けて送信された干渉信号２０１を実際に受信し得る。この結果、全ての使用可能な情報を組み合わせるＭＩＭＯチャネル構成をもたらす。この場合、マルチプル入力は、当該送信された信号２０２及び干渉漏洩信号２０１といった多数の情報ソースが、例えば端末１３１によって受信されることを意味する。また、マルチプル出力は、端末１３１といった受信端末が、当該送信された信号２０２及び干渉漏洩信号２０１という受信信号を、少なくとも内部的には出力データとして適用することを意味する。例えば、本発明に従えば、干渉信号２０１に含まれる情報は、例えば、以下により詳細に説明する、当該送信された信号２０２と干渉漏洩信号２０１の双方から情報をデコードするための、マルチユーザデコーダスキーム又はジョイントデコーディングスキームによって、干渉というよりはむしろ情報として扱われる。従って、本発明の実施例によれば、第２の信号、干渉漏洩信号２０１が、既存のＯＦＤＭＡシステムとは異なり、干渉としては扱われない。干渉信号２０１は、むしろ、送信された信号２０２と干渉信号２０１とからなり、ＯＦＤＭＡを用いたサブチャネルＫ上で送信される、類似する性質を持つ全ての受信信号を有用な情報として考慮するジョイントデコーディングを用いてデコードされる受信信号の一部として扱われる。
【００１５】
図３は、どのようにしてＯＦＤＭＡ無線通信システムにおいてチャネルがオーバーラップするかを示す、時間に対する周波数の図である。図３の時間周波数表現３０１において、最初のセルが、第２のセルの時間周波数表現３０２と比較して示される。セル内において、一つのタイムスロットの開始時点で、プリアンブル３１１及び３１２が、それぞれのセルにブロードキャストされる。プリアンブルは、関連する基地局に対してビーコン信号等を伝搬する。各基地局は、自身のプリアンブルビーコン信号を有する。当該プリアンブルの伝送に続いて、様々なデータサブチャネルが、時間及び周波数における利用可能な帯域幅を占める。図３における表示のため、矩形が、時間及び周波数の集合を、ある端末に対して指定されたＲＦ「リソース」として表している。しかし、あるサブチャネルによって用いられるリソースは、時間、そして／または周波数について均一には分配されない。セル１のブロック３２１、そして、セル２のブロック３２２においては、当該リソース又はサブチャネルは、同じであり、サブチャネルＫである。従って、リソース３２１と３２２は、時間及び周波数においてオーバーラップしており、互いに直接干渉する。セル１のサブチャネルＬのリソース３３１及びセル２のサブチャネルＬのリソース３３２は、周波数においては部分的にのみ互いに干渉するが、時間においては、同期するように示されている。更に、リソースは、部分的に周波数及び時間の双方においてオーバーラップし、相互の干渉を引き起こす。
【００１６】
図４は、本発明において用いられ、端末１３１といったシステム端末において、より高い全体としてのシステムキャパシティを可能とする、端末復調ロジックの実施例４００を示す論理フロー図である。本発明の端末は、当該端末によって受信されるために送信される信号と、同じサブチャネルを用いる１又は複数の干渉信号の双方から構成される信号４０１を受信する。例えば、信号４０１は、基地局１１１から端末１３１に対して送信された、図２の信号２０２のような、当該端末に対して送信された信号と、基地局１１２から端末１３２に対して送信された干渉信号２０１を含む、当該端末に対して向けられていない部分の双方を含んでいる。本発明は、通常は、当該端末に対して送信される信号と干渉漏洩信号という２個の信号より多くの信号を受信する。例えば、追加的な干渉漏洩信号が、図１の基地局１１３、又は、当該端末が動作するＯＦＤＭＡ無線システムの外部から受信される。プリアンブルプロセッサ４０２が、当該端末のホームの基地局からブロードキャストされたプリアンブル信号に加えて、近接する基地局からブロードキャストされたプリアンブル信号とを受信する。
【００１７】
チャネルプロフィール選択が、また、プリアンブルの処理とパラレルに実行される。このチャネルプロフィール選択は、基地局又は他の端末といった第１のソースからの信号強度を比較し、当該端末によって受信されることが意図されている信号を送信し、同時に、近接する基地局からの信号を監視することから構成される。当該近接する干渉が、下方の閾値以下であるか、当該端末にコード情報を提供するために不十分な強度であるといったように、とるに足らないと考えられるほど極めて低い場合には、端末復調スキーム選択ロジック４０３が、シングルユーザデコーダ４０４を用いて当該ユーザの端末に送信される信号をデコードすることを選択する。好ましくは、シングルユーザデコーダ４０４が、当該干渉信号を、低い強度の背景ノイズとして無視し、そして／または他の干渉が処理されるような方法で当該干渉信号を処理する。この結果、当該端末のみに送信される信号である、信号４０５が出力される。本発明によれば、端末は、また、ビームフォーミング、ダイバーシティの送受信等のために多数のアンテナを利用する。例えば、シングルユーザデコーディングを用いる場合、端末は、フィルタリングを提供するために、当業者に知られた方法で、基地局を「ヌルアウト（ｎｕｌｌ  ｏｕｔ）」する。
【００１８】
一方、チャネルプロフィールセレクタ４０２によって提供される干渉信号の強度のプリアンブル推定からの干渉が重大であるか、又は、コード情報を提供するために十分に強い場合、好ましくは、マルチユーザデコーダ４０５又は４０６が復調スキーム選択ロジック４０３によって選択される。多数のマルチユーザデコーダが当該分野において知られている。線形マルチユーザデコーダ４０６と、よりパワフルな非線形マルチユーザデコーダ４０７という２つのタイプのマルチユーザデコーダがここで述べられ、図４に示される。
【００１９】
当該干渉が、前述した下方の閾値を超えているが上方の閾値を超えていない場合、線形マルチユーザデコーダ４０６が復調スキーム選択ロジック４０３によって選択される。線形マルチユーザデコーディングのうちよく用いられる一つは、一般に、最小平均２乗誤差マルチユーザデコーディング（ＭＭＳＥマルチユーザデコーディング）と言われる。ＭＭＳＥマルチユーザデコーダは、干渉信号のデータ構成、当該干渉信号の代数的構成を利用する。このデータ構成は、当該信号の空間的構成、コーディング構成等に反映される。当該ＭＭＳＥマルチユーザデコーダは、例えば係数（ｃｏｅｆｆｉｃｉａｎｔ）を生成することによって、当該干渉信号を除去するための線形フィルタセット４０８を生成する。更に、線形マルチユーザデコーディングを用いる端末は、一旦基地局を干渉信号のソースとして識別すると、その基地局をヌルアウトする。従って、本発明の実施例によれば、線形マルチユーザデコーディングを用いる場合、当該端末は、フィルタ４０８を抽出するために十分な長さ、又は、セル内干渉を伝送している基地局及びセル内干渉の方向を識別するために十分な長さの干渉信号をデコードしさえすればよい。
【００２０】
当該干渉が前述した上方の閾値を超える場合、好ましくは、復調スキーム選択ロジック４０３は、非線形マルチユーザデコーダ４０７を選択する。非線形マルチユーザデコーダの典型的な例は、いわゆる「最尤マルチユーザデコーダ」である。しかし、当業者に理解されるように、本発明によれば、任意の数のマルチユーザデコーダが用いられ得る。非線形マルチユーザデコーダ４０７は、連帯的に（ｊｏｉｎｔｌｙ）、データが当該端末に送信されたデータストリームと干渉漏洩信号の双方をデコードする。好ましくは、非線形マルチユーザデコーダ４０７は、デコードされた干渉漏洩信号のデータを捨てる。しかし、双方のストリームを連帯的にデコードすることによって、当該端末に送信されたデータストリームのデコーディングが大きく改善する。当該送信された信号のデコーディングは、大きな干渉をもたらす干渉信号を生む結果となる当該干渉信号のノイズとしての処理がなされるというよりはむしろ、当該干渉信号が、当該送信された信号とは違って、干渉のソースとして消去するといったように、デコードされた上で捨てられるので、改善する。
【００２１】
非線形マルチユーザデコーダ４０７は、よりコンピュータ集約的であるので、当該線形マルチユーザデコーダ又はシングルユーザデコーダがこれらのうちの一つを満たす場合に、端末がより大きなバッテリーパワーを出力し、より大きな熱等が生じる。従って、復調スキーム選択選択４０３は、当該端末に送信された信号と干渉信号の強度を比較するだけではなく、抽出し得る当該２つの信号の情報（ｋｎｏｗｌｅａｇｅ）を評価する。その結果、好ましくは復調スキーム選択４０３が、線形マルチユーザデコーダ４０６が当該送信された信号を十分にデコードするかを予測する。例えば、線形マルチユーザデコーダ４０６の復調がある信号対ノイズ比（ＳＮＲ）の強度の閾値を提供し、そして／または他の閾値ファクターを満たし得る場合、当該単一の線形マルチユーザデコーダ４０６が用いられる。しかし、線形マルチユーザデコーダ４０６が、閾値のＳＮＲ強度そして／または他の閾値ファクターを提供できない場合等、当該送信された信号を十分にデコードすることができず、許容できないエラーレート又は他の動作をもたらす場合には、好ましくは非線形マルチユーザデコーダ４０７がデコーディングのために用いられる。
【００２２】
図５は、例えば図４中の４０３での、本発明の実施例による端末復調スキーム選択における信号強度閾値処理５００を示す図である。閾値処理５００は、信号１の強度から信号４の強度をまでの信号強度を示し、好ましくは、信号１から信号４までのプリアンブルの信号強度を示す。これらの信号強度は、４つの干渉する基地局そして／または端末からの干渉の第１のレベルの評価として用いられる。プリアンブル１は、上方の信号強度の閾値を超える大きな信号強度を持っており、少なくとも最初の概算では、非線形マルチユーザデコーディングを保証する。一方、プリアンブル３は、下方の信号強度の閾値を超えるが上方の信号強度の閾値以下であって、線形マルチユーザデコーディングを保証するのに十分な強度を持つものとして示される。プリアンブル２及び４からの信号強度は、下方の信号強度の閾値以下であるが、プリアンブル２及び４は、背景干渉として処理され、シングルユーザデコーディングの間、従来の手法によって無視され、又は取り除かれる。更に、又は代替的に、本発明の実施例は、信号とマルチユーザデコーダとの間での選択をアシストするために、プリアンブル信号に加えて、又は、代替的に、予め復調された信号を適用する。
【００２３】
しかし、本発明の実施例は、全ての干渉信号を同様に処理し、一旦一つの信号が信号強度の閾値を破ると、全ての受信された信号は、同じタイプの復調／デコーディングを提供される。そのような実施例の下において、図５中の信号は、プリアンブル１が上方の信号強度の閾値を破るので、非線形マルチユーザデコーディングを受ける。
【００２４】
その代わりに、プリアンブルが下方の信号強度の閾値を破らないプリアンブルは背景ノイズとして処理され、従来の手法によって無視されるのに対して、プリアンブルが少なくとも下方の信号強度の閾値を破る全ての信号は、最も高い信号強度に適合するスキームを用いてデコードされる。後者の実施例においては、図５の信号１及び信号３は、信号１のプリアンブルが上方の信号強度の閾値を破り、信号３のプリアンブルが、上方の信号強度の閾値を破っていないものの下方の信号強度の閾値を破っているので、非線形マルチユーザデコーディングを受ける。一方、信号２及び信号４は、当該信号２及び信号４のプリアンブルが下方の信号強度の閾値に達していないため、背景ノイズとして処理され、従来の手法によって無視されるか、又は取り除かれる。
【００２５】
図６及び図７に目を向けると、本発明の実施例に従うサブチャネルの割り当ての表が示される。図１のシステム１００のようなマルチセルＯＦＤＭＡシステムにおいては、基地局がサブチャネルの割り当てを行う。従来のＯＦＤＭＡシステムは、従来のＯＦＤＭＡが、サブチャネルを多かれ少なかれ代替可能なものと考えているため、多かれ少なかれランダムにサブチャネルを割り当てる。しかし、本発明に従って端末がマルチユーザデコーダを有しているか否かを知ることによって、サブチャネルの割り当てに違いが生じる。図６は、一つのＯＦＤＭＡ基地局について、多数の端末のとり得るデータレートの比較表である。当該端末がシングルユーザデコーディングのみ可能である場合、当該サブチャネルに関連するスペクトラムの最大利用をもたらす、当該サブチャネルの最大の利用をすることができる端末である、図６中の端末ｃが、当該サブチャネルを割り当てられる。しかし、本発明の実施例によれば、ユーザ端末のいくつかが、また、マルチユーザデコーダを備えている場合、当該端末は、当該端末が干渉を消すことができるため、更に高いデータレートを実現することができる。従って、図６においては、端末ｂが最も高いデータレートを実現することができ、端末ａ及びｃが、多分それらのロケーションのせいで、端末ｂより高いデータレートを実現できないため、当該サブチャネルは、端末ｂに割り当てられる。このようにして、本発明を適用する一つのＯＦＤＭＡ無線通信基地局は、当該端末がマルチユーザデコーダか、又はシングルユーザデコーダを備えるかということと、それらの端末が利用可能なデータレートとを考慮した、インテリジェントチャネル割り当てを適用する。
【００２６】
図７は、本発明の実施例による、マルチセルシステムにおけるサブチャネル割り当ての表である。マルチセルＯＦＤＭＡシステムにおいては、全てのセルは、サブチャネルを同時に利用する。図７の例は、どのようにしてそのような３つのセルが本発明に従ってサブチャネルを割り当てるかの判断を示す。ある端末に対する最小のデータレートを提供しなければらならいという他のファクターに照らして、システム全体についてのスループットを最大化するという目的を達する。本発明によれば、マルチユーザデコーディング動作を有する端末とマルチユーザデコーディング動作を有しない端末の双方が考慮される。また、特定のサブチャネルが、あるセルによって用いられるべきかについて考慮することが適当である。例えば、近接するセルにおけるそのサブチャネルについての干渉が低減されるといった、当該システムのパフォーマンス全体に利益をもたらす利点が、本発明によるサブチャネル割り当てにおいて考慮される。図７の端末の実現可能なデータレートによれば、セル１の端末１ｂ、セル２の端末２ｃ、そして、セルＮの端末Ｎａは、図７のシステムについての最大のトータルスループットを提供する。
【００２７】
しかし、最大のスループットを提供することとなる、各セルによるその端末に対するチャネルの割り当ての自律的な決定は、必ずしもマルチセルシステム全体について最大のスループットをもたらさない。一つのセルにおける最大のスループットの押し付けは、他のセルに影響を与え、当該システムのスループット全体を低減させる。例えば、特定のセルにおけるサブチャネルの使用は、他の多くのセルにおけるそのサブチャネルの使用の可能性をなくす。従って、本発明によれば、システムのセルは、システム全体のスループットを高めるために、例えば図１のリンク１４１〜１４３を通じて調整する。例えば、図７において、端末１ｂに対する対象のサブチャネルの割り当てが当該サブチャネルの他の多くのセルにおける使用に悪影響を与える場合には、たとえ当該サブチャネルの端末１ｂに対する割り当てが端末１ｂに対して極めて高いデータレートを提供するとしても、当該対象のサブチャネルは、他の端末に割り当てられるか、又はセル１において全く割り当てられない。一方、当該対象のサブチャネルを端末１ｂに割り当てないことが、当該対象のサブチャネルを端末１ｂに割り当てることによってもたらされるスループットより高い他のセルにおけるスループットをもたらし得ない場合には、当該対象のサブチャネルは、他のセル内の端末が利用できないカバレッジ（ｃｏｖｅｒａｇｅ）を作らないといったような他のファクターに影響しない限り、端末１ｂに割り当てられるべきである。結局、本システム及び方法の目的は、公正さと制限を満足しつつ、セル達にわたるトータルなスループットを最大化することである。本発明の実施例によれば、基地局間での集中的なサブチャネルの割り当てが、トータルなネットワークスループットを最大化するために用いられ得る。しかし、本発明は、集中制御を適用せず、むしろ、分配された意志決定プロセスを適用する。例えば、各セルの基地局は、例えば図１の通信リンク１４１〜１４３を通じて、他のセル、特に近接するセルと情報を共有して、分配された最適化を提供する。このようにして、各セルは、そのサブチャネルの割り当てによって、特に近接するセルといった他のセルに悪影響を与えないことを保証する。
【００２８】
例えば、基地局は、協力又は調整して、端末がより効率的に線形又は非線形マルチユーザデコーディングを用いて干渉漏洩信号を処理するように、周波数及び時間におけるサブチャネルの割り当てをオーバーラップさせる。図３及び図４に戻って、当該サブチャネルの割り当てが周波数及び時間の双方において十分にオーバーラップし、サブチャネルＫの割り当てが、図３のセル１及びセル２に関して十分にオーバーラップしている場合、復調の間、本発明に従って（図４）、線形の又は非線形マルチユーザデコーディングが効率的に用いられる。しかし、当該サブチャネルが、図３中の部分的にオーバーラップしたサブチャネルＬに示されるように十分にはオーバーラップしていない場合、当該セル間の干渉は、ランダム化される。その結果、線形又は非線形マルチユーザデコーディングは、効率的でなく、又は可能でさえなく、シングルユーザデコーディング及びフィルタリングの使用が必要とされ、当該対象の端末に対して、そして、全体のシステムに対してより低いスループットをもたらす。
【００２９】
本発明とその利点が詳細に記述されたが、様々な変更、代用そして代替が、添付されるクレームによって定義される発明を逸脱することなく行われる。更に、本出願の範囲は、特定の処理、機械、製品、合成物、明細書において記述される手段、方法及びステップに限定することを意図しない。当業者が当該開示によって恩恵を受けるように、ここに記述される実施例と実質的に同一の機能を果たし、又は実質的に同一の結果をもたらす、現在存在し、後に改良されるプロセス、機械、製品、合成物、手段、方法又はステップが利用される。従って、添付されるクレームは、その範囲内において、そのような処理、機械、製品、合成物、手段、方法、又はステップを含む。
【図面の簡単な説明】
【００３０】
本発明をより完全に理解するために、添付する図面に関連する以下の説明が参照される。
【図１】本発明に従って適合するＯＦＤＭＡベースの無線通信システムの図である。
【図２】図１において端末がどのようにしてセル内干渉を受けるかを示すブロック図である。
【図３】ＯＦＤＭＡ無線通信システムにおいて、チャネルがどのようにしてオーバーラップするかを示す図である。
【図４】本発明において用いられる復調ロジックの実施例を示す論理フロー図である。
【図５】本発明の実施例に従う、端末ジョイントデコーディングにおける閾値処理を示す図である。
【図６】本発明の実施例に従う、一つの基地局によるサブチャネルの割り当てを示す。
【図７】本発明の実施例に従う、マルチセルシステムにおけるサブチャネルの割り当てを示す。
【図１】
2008532362.tif 000002
【図２】
2008532362.tif 000003
【図３】
2008532362.tif 000004
【図４】
2008532362.tif 000005
【図５】
2008532362.tif 000006
【図６】
2008532362.tif 000007
【図７】
2008532362.tif 000008